(57)【要約】【課題】経営環境の変化が激しい経営には変化とスピードに対応でき、生産活動の現場に直結した経営判断が求められる。しかし、現場レベルで即時性のある経営情報が共有できる現場直結型の経営管理の仕組みがなく、現場の経営が一体となる管理方式が求められている。【解決手段】現場の言葉をモデル化し、現場データとしてその固有情報を加えてイベント・メッセージとする。イベント発生時に即時性を持ってこのイベント・データを送出できるネットワーク基盤を有し、現場データの辞書と収集条件から必要なイベント・メッセージを選択収集する辞書ミッションサーバにおいて、変換ソフトを内臓し、収集したイベント・メッセージを経営情報メッセージに質的変換を行ない、ネットワークに送出する。現場では、この経営情報メッセージを即時性を持って共有し、現場レベルで直接経営判断ができる現場直結型経営管理方式。【選択図】図２
2010244489.tif 000002
【特許請求の範囲】
【請求項１】
現場の事象発生時にその名称と固有情報をメッセージの形にしてネットワーク網に送出される現場データは、その集合体である現場データ辞書を用いてミッションの投入により収集条件を定めて収集される際、あらかじめ定義されたメッセージに対し変換ソフトにより経営管理情報から該当する情報を背景情報として付加し、新しいメッセージに自動生成する機能を有し、現場で直接に経営管理に利用できるようにすることを特徴とする現場直結の経営管理方式
【請求項２】
請求項１記載の方式を具える現場直結型経営管理システム
【発明の詳細な説明】
【技術分野】
【０００１】  一般に製造に係る経営管理は、生産管理システムと上位の情報システムの階層型情報処理システムで実施されている。本発明は、現場レベルで、生産活動から生ずる経営管理情報をそのまま共有することで現場直結型の経営管理を実現する新しい経営管理方式に関するものである。
【背景技術】
【特許文献１】  ＦＡ情報収集方法および装置  登録番号３２０５５３８
【特許文献２】  ＦＡ情報収集方法および装置  登録番号３３００６７６
【特許文献３】  現場データの即時性のある情報基盤方式  特願２００８−２７０２９５
【特許文献４】  現場データと管理データを統合する統合型情報基盤方式  特願２００８−２７０２９６
【発明の開示】
【発明が解決しようとする課題】
【０００２】  製造に係る経営管理を階層型情報処理システムを用いて行う場合、経営層のみが経営管理情報を知り、現場レベルでは経営情報は共有されず現場と経営が遊離しがちとなる。【０００３】  階層型情報処理システムでは、タイムラグが大きく、現場状況の変化が経営に反映される迄に時間がかかり、経営判断が遅れる。また、市場や顧客の状況の変化への対応が現場の生産活動との間に時間のズレがある為、遅れることとなる。【０００４】  経営環境の変化が激しい場合の経営管理では、生産活動と経営情報が一体となる直結型の管理が求められるが、現場レベルに経営管理情報が無いか、生産活動と経営判断に時間的遅れがあると困難である。【０００５】  製造に係る経営管理では、眞に経営の原点は現場にあるとの認識に立ち、現場レベルで経営管理情報を共有し、現場レベルと経営者が一体となりタイムラグの無い経営判断が出来る現場直結型の経営管理が求められる。
【問題を解決するための手段】
【０００６】  製造現場データは、生産活動の中で使われる言葉をモデル化したものである
・現場で使われる言葉とは、生産数量、作業完了、故障、品質不良、ライン停止、稼      動率、作業開始、などその企業の生産に関与する誰もが理解し、親しんでいる言葉      であり、その企業の歴史や、文化、生産する製品などを深く反映している。この言      葉を、情報として扱えるように定量的で、定義を厳密にしあいまい性をなくし統一      性を持たせるようモデル化したものを現場データと称する。
【０００７】  製造現場データは、生産活動のなかで、ある事象が発生するか、事象の変化が起こるタイミングで生まれる。このタイミングをイベントと呼ぶ。イベントの発生時、データは、どんな事象が、何時、どこで、どのように発生したか、その事象の中味はなにかを情報として本質的に持っている。この本質的な情報を現場データの固有情報と言う。この固有情報をイベントごとに，まとめたものを、イベントデータと称する。
【０００８】  イベントデータは、そのデータの発生の背景を持っている。どのような規格・標準作業のもとで生じたか、どの作業者が作業したのか、どのプロセスを用いたのか、どのような生産計画を実行した時に生まれたのか等の背景までをイベントデータに組み合わせる事で、利用価値の高い情報にする事ができる。イベントデータにこの背景情報を付加し一つの情報伝文にまとめたものをイベント・メッセージと称する。
【０００９】  このように、イベントの発生時に、現場データは、固有情報と組み合わせて、イベントデータを構成し、更に、背景情報を付加した情報伝文とすることで、イベント・メッセージとなり、利用価値の高い情報のまとまりとすることができる。
【００１０】  イベント・メッセージに名称を与え、現場の活動の中で生じる各種イベント・メッセージを洗い出し整理し、体系的に纏め上げることで、現場活動全体を現す辞書（カタログ）を作成する。カタログ作成時、イベント・メッセージの属性として、登録者、登録履歴、利用目的、起因元、経営面の意味、必要な解説などを定義してカタログを完成する。このカタログは、管理装置に収納され、イベント・メッセージを解釈できる管理装置としてネットワーク伝送網に接続される。
【００１１】  イベント・メッセージは、ネットワーク伝送網に接続された複数の現場データ発生装置からイベント発生時にネットワークに即時に送出され、共有される。又、利用されることを想定し、一日とかある期間一時蓄積される。
【００１２】  辞書を持つ管理装置において、ミッションを投入することで収集目的に合うイベント・メッセージをカタログを用いて選択し、収集条件を定めて収集蓄積する。
【００１３】  このイベント・メッセージの中のあらかじめ定義されたメッセージは変換ソフトにより、あらかじめ別に蓄積されているデータベースの中のコスト情報、人事データ、品質情報等経営管理情報から目的に沿う経営情報を背景情報として埋め込んだ新しいメッセージを自動生成する。
【００１４】  創生された新しいメッセージは、管理装置の別のミッションにより、ネットワーク網に送出され共有されることで、イベントの固有情報と経営情報が一体化されているので、経営的視点で分析・判断に利用することができる。
【００１５】  新しいメッセージは、ネットワーク網に接続された別の装置に取込み、即時的に現場レベルで利用することで現場直結型の経営管理を可能とする。
【発明の効果】
【００１６】  直接的効果として、現場データを即時性をもってネットワーク上で共有できるので、従来のシステムでは扱うことのできなかった変化する生産活動で必要な非定型業務を扱うことが可能となり、変化する外部環境にスピーディに対応できる。
【００１７】  各種の現場データの名称全体が辞書（カタログ）として登録される為、欲しいデータはカタログから自由に選択し組み合せて、収集条件を定めて収集し蓄積した結果を得ることが出来るので、現場で、直接経営管理上欲しい現場データと経営管理情報の両方を入手できる。
【００１８】  経営管理情報として、コスト情報や人事情報など、どの情報をデータベースから抽出するかは、変換ソフトで自由に定義でき、かつ変更できるので、状況の変化に応じて現場で欲しい経営管理情報を選択し、変更できる。
【発明を実施するための最良の形態】
【００１９】  ネットワーク伝送網として、イーサネットを現場に設置し、現場データ発生装置を複数台イーサネットに接続する。現場データ発生装置としては、パソコンを用い、シーケンサ及び現場端末から現場データを、その発生タイミングでパソコンに取り込み、パソコンに内蔵する背景情報を付加したイベント・メッセージに編集した上でネットワークに送出する。【００２０】  一方では、ネットワーク上に、辞書（カタログ）及び収集条件（ミッション）、変換ソフトを持つサーバを接続した上で、現場データの利用者用に複数台のデータ収集管理サーバを接続する。【００２１】  データ収集管理サーバは、欲しい現場データのイベント・メッセージ名を選択し、収集条件を定めて辞書及び収集条件、変換ソフトを持つサーバに、データの収集依頼を行う。【００２２】  辞書及びミッションを持つサーバに、あらかじめ特定のメッセージに対し背景情報を付加する変換ソフトを組み込み、データ・ベースから各種経営管理情報を検索できる検索キーを定義しておく。検索キーと、特定メッセージに対する定義を外部から定めることができるようにする。【００２３】  データの収集依頼を行う管理装置は、ミッション投入により背景情報が付加された新しいメッセージを収集できる。【００２４】  全体のシステム構成を図１に示す。変換ソフトは、辞書ミッションサーバに組み込むソフトウェア・パッケージである。
【実施例】
【００２５】  発明を実施するための最良の形態に示す通り、複数のサーバ群と複数のパソコンをイーサネット接続し、システムを構成する。【００２６】  パソコンには、現場データの収集・編集ソフトを組み込みイベント・メッセージの送出を可能とする。辞書ミッションサーバには、イベント・メッセージの種類と属性を辞書としてあらかじめ定義し内蔵する。【００２７】  データ収集用サーバは、収集条件（ミッション）のメニューから必要な収集条件を選択してデータ収集を依頼する。【００２８】  辞書ミッションサーバは、依頼されたデータの収集・蓄積を実行し、変換ソフトによりメッセージを変換し、経営情報を背景情報として付加したメッセージを依頼元へ送出する。【００２９】  辞書ミッションサーバを中心とする実施例を図２に示す。ミッション定義端末又はデータ収集管理装置を用いてミッションの定義及びデータ収集依頼を行う。【００３０】  辞書ミッションサーバは、イベント・データを取込み、ジャーナルに一時蓄積を行うと共にミッションを参照してデータ収集を行い、変換ソフトにより経営情報を付加したメッセージに変換して新しいメツセージとしてミツションに照らして選択し、データ収集する。
【産業上の利用可能性】  本発明は、情報基盤方式と、その方式を用いた現場直結の経営管理方式にあり、通常イーサネット、サーバ、パソコン、シーケンサ、現場端末を用いたシステムで構成できる。いずれも、産業機器、情報処理装置、汎用ネットワーク装置であり、容易に入手可能である為、産業上の利用可能性は充分である。
【図面の簡単な説明】
【００３１】
【図１】本発明に係る方式を適用したネットワークシステムの概略ブロック図である。
【図２】本発明に係る辞書ミッションサーバの具体的実施例を示す。
【符号の説明】
【００３２】  １０  ネットワーク伝送網（イーサネット）
１１  現場設備
１２  現場端末
１３  シーケンサ
１４  パソコン
１５  辞書（カタログ）
１６  収集条件（ミッション）
１７  辞書ミッションサーバ
１８  データ収集管理装置
１９  経営情報メッセージ画面表示装置
２０  経営情報メッセージ帳票印字装置
２１  変換ソフト
２２  経営情報データ・ベース
２３  イベント・メッセージジャーナル
２４  ミッション定義端末
２５  カタログ管理端末
２６  各種経営管理業務アプリケーション
【図１】
2010244489.tif 000003
【図２】
2010244489.tif 000004